(57)【要約】【課題】オリジナルの歌唱とは異なるユーザの投稿による歌唱に基づく評価を行う。【解決手段】本発明に係るカラオケ装置は、ホスト装置から投稿情報を受信する受信処理と、評価演奏処理は、指定された投稿情報中の楽曲識別情報に対応する演奏情報を演奏部に演奏させるとともに、指定された投稿情報中の歌唱音声情報に対応する評価基準情報に基づいて、マイクロホンから入力される歌唱音声情報を評価する評価演奏処理と、を実行可能とすることを特徴とする。【選択図】図１４
2015125270.tif 000002
【特許請求の範囲】
【請求項１】
演奏部と、制御部と、を備えたカラオケ装置であって、
前記演奏部は、演奏情報に基づく演奏を可能とし、
前記制御部は、受信処理と、評価演奏処理とを実行可能とし、
前記受信処理は、ホスト装置から投稿情報を受信し、
前記投稿情報は、楽曲識別情報と、ユーザによって投稿された歌唱音声情報を含み、
前記評価演奏処理は、指定された投稿情報中の楽曲識別情報に対応する演奏情報を前記演奏部に演奏させるとともに、指定された投稿情報中の歌唱音声情報に対応する評価基準情報に基づいて、マイクロホンから入力される歌唱音声情報を評価する
カラオケ装置。
【請求項２】
前記評価演奏処理は、指定された投稿情報中の歌唱音声情報を再生出力する
請求項１に記載のカラオケ装置。
【請求項３】
前記演奏情報は、オリジナル歌唱基準情報に対応付けられ、
前記評価演奏処理の実行中、指定された投稿情報中の歌唱音声情報に対応する評価基準情報に対する、演奏中の演奏情報に対応するオリジナル歌唱基準情報の相違に関するアドバイス情報を告知する
請求項１または請求項２に記載のカラオケ装置。
【請求項４】
前記受信処理で受信した投稿情報に含まれる歌唱音声情報から評価基準情報を抽出する抽出処理を実行可能とする
請求項１から請求項３の何れか１項に記載のカラオケ装置。
【請求項５】
前記評価基準情報は、ユーザによって投稿された歌唱音声情報の音程に関する基準音程情報を含み、
前記評価演奏処理は、前記評価基準情報の基準音程情報と、マイクロホンから入力される歌唱音声情報の音程情報を表示部に出力する
請求項１から請求項４の何れか１項に記載のカラオケ装置。
【請求項６】
前記評価演奏処理は、指定された投稿情報中の歌唱音声情報に対応する評価基準情報に基づいて、マイクロホンから入力される歌唱音声情報を採点する
請求項１から請求項５の何れか１項に記載のカラオケ装置。
【請求項７】
カラオケ装置と、カラオケ装置と通信可能なホスト装置と、を備えるカラオケシステムにおいて、
前記カラオケ装置は、演奏部と、制御部と、を備え、
前記演奏部は、演奏情報に基づく演奏を可能とし、
前記制御部は、受信処理と、評価演奏処理とを実行可能とし、
前記受信処理は、ホスト装置から投稿情報を受信し、
前記投稿情報は、楽曲識別情報と、ユーザによって投稿された歌唱音声情報を含み、
前記評価演奏処理は、指定された投稿情報中の楽曲識別情報に対応する演奏情報を前記演奏部に演奏させるとともに、指定された投稿情報中の歌唱音声情報に対応する評価基準情報に基づいて、マイクロホンから入力される歌唱音声情報を評価する
カラオケシステム。
【請求項８】
前記ホスト装置は、投稿情報に含まれる歌唱音声情報から評価基準情報を抽出する抽出処理を実行可能とする
請求項７に記載のカラオケシステム。
【請求項９】
情報処理装置において実行可能なカラオケ用プログラムであって、
受信処理と、評価演奏処理とを実行可能とし、
前記受信処理は、ホスト装置から投稿情報を受信し、
前記投稿情報は、楽曲識別情報と、ユーザによって投稿された歌唱音声情報を含み、
前記評価演奏処理は、指定された投稿情報中の楽曲識別情報に対応する演奏情報を演奏するとともに、指定された投稿情報中の歌唱音声情報に対応する評価基準情報に基づいて、マイクロホンから入力される歌唱音声情報を評価する
カラオケ用プログラム。
【発明の詳細な説明】
【技術分野】
【０００１】
本発明は、演奏にあわせて歌唱を楽しむことのできるカラオケ装置、並びに、カラオケ用プログラム、そして、カラオケ装置とカラオケ装置と通信可能なカラオケ用ホスト装置を含むカラオケシステムに関する。
【背景技術】
【０００２】
従来、楽曲の演奏に合わせて歌唱を楽しむカラオケ装置が知られている。現在、カラオケ装置では、歌唱を楽しむのみならず、歌唱の様子を録画した動画を、ネットワーク上に公開し、幅広いユーザに見て貰うといった投稿サービスが人気を集めている。
【０００３】
特許文献１には、ユーザによって投稿された歌唱もしくは演奏の良し悪しを他のユーザに適切に評価してもらうことを可能とするカラオケネットワークシステムが開示されている。視聴側のカラオケ装置では、ユーザ（視聴者）が所望する投稿データをセンターから取得し、取得した投稿データの内、特定の演奏パートの聴き所のみを再生する。このような構成により、ユーザ（投稿者）が視聴者に特に聴いてもらいたい部分（視聴区間）を、他のユーザ（視聴者）に聴取させることを可能としている。
【先行技術文献】
【特許文献】
【０００４】
【特許文献１】特開２０１０−２３７５５３号公報
【発明の概要】
【発明が解決しようとする課題】
【０００５】
従来からカラオケ装置では、演奏する楽曲の主旋律など、お手本（基準）となる音程情報と、歌唱しているユーザの歌唱音声の音程とを比較することで、ユーザの歌唱評価を行うことが行われている。この歌唱評価に使用される音程情報は、予め、楽曲の製作者側によるプロの歌手の歌唱に基づいて形成、あるいは、抽出されたものが使用される。ところで、現在、行われている投稿サービスにおいて、投稿者は、プロの歌手が歌うオリジナルの歌唱方法とは異なる歌唱方法で歌うことで、視聴するユーザの人気を集めることがある。また、ユーザによっては、オリジナルの歌唱方法ではなく、投稿者と同じ歌唱方法で歌いたい、あるいは、その歌唱方法を練習したいことが考えられる。
【０００６】
本発明は、このようなカラオケの投稿サービスでの事情を鑑みたものであって、歌唱するユーザが、投稿者によって投稿された投稿情報の歌唱方法を練習、習得可能とすることを目的としている。
【課題を解決するための手段】
【０００７】
上述する課題を解決するため、本発明に係るカラオケ装置は、以下の構成を採用するものである。
演奏部と、制御部と、を備えたカラオケ装置であって、
前記演奏部は、演奏情報に基づく演奏を可能とし、
前記制御部は、受信処理と、評価演奏処理とを実行可能とし、
前記受信処理は、ホスト装置から投稿情報を受信し、
前記投稿情報は、楽曲識別情報と、ユーザによって投稿された歌唱音声情報を含み、
前記評価演奏処理は、指定された投稿情報中の楽曲識別情報に対応する演奏情報を前記演奏部に演奏させるとともに、指定された投稿情報中の歌唱音声情報に対応する評価基準情報に基づいて、マイクロホンから入力される歌唱音声情報を評価する。
【０００８】
さらに本発明に係るカラオケ装置において、
前記評価演奏処理は、指定された投稿情報中の歌唱音声情報を再生出力する。
【０００９】
さらに本発明に係るカラオケ装置において、
前記演奏情報は、オリジナル歌唱基準情報に対応付けられ、
前記評価演奏処理の実行中、指定された投稿情報中の歌唱音声情報に対応する評価基準情報に対する、演奏中の演奏情報に対応するオリジナル歌唱基準情報の相違に関するアドバイス情報を告知する。
【００１０】
さらに本発明に係るカラオケ装置は、
前記受信処理で受信した投稿情報に含まれる歌唱音声情報から評価基準情報を抽出する抽出処理を実行可能とする。
【００１１】
さらに本発明に係るカラオケ装置において、
前記評価基準情報は、ユーザによって投稿された歌唱音声情報の音程に関する基準音程情報を含み、
前記評価演奏処理は、前記評価基準情報の基準音程情報と、マイクロホンから入力される歌唱音声情報の音程情報を表示部に出力する。
【００１２】
さらに本発明に係るカラオケ装置において、
前記評価演奏処理は、指定された投稿情報中の歌唱音声情報に対応する評価基準情報に基づいて、マイクロホンから入力される歌唱音声情報を採点する。
【００１３】
また本発明に係るカラオケシステムは、
カラオケ装置と、カラオケ装置と通信可能なホスト装置と、を備えるカラオケシステムにおいて、
前記カラオケ装置は、演奏部と、制御部と、を備え、
前記演奏部は、演奏情報に基づく演奏を可能とし、
前記制御部は、受信処理と、評価演奏処理とを実行可能とし、
前記受信処理は、ホスト装置から投稿情報を受信し、
前記投稿情報は、楽曲識別情報と、ユーザによって投稿された歌唱音声情報を含み、
前記評価演奏処理は、指定された投稿情報中の楽曲識別情報に対応する演奏情報を前記演奏部に演奏させるとともに、指定された投稿情報中の歌唱音声情報に対応する評価基準情報に基づいて、マイクロホンから入力される歌唱音声情報を評価する。
【００１４】
さらに本発明に係るカラオケシステムにおいて、
前記ホスト装置は、投稿情報に含まれる歌唱音声情報から評価基準情報を抽出する抽出処理を実行可能とする。
【００１５】
また本発明に係るカラオケ用プログラムは、
情報処理装置において実行可能なカラオケ用プログラムであって、
受信処理と、評価演奏処理とを実行可能とし、
前記受信処理は、ホスト装置から投稿情報を受信し、
前記投稿情報は、楽曲識別情報と、ユーザによって投稿された歌唱音声情報を含み、
前記評価演奏処理は、指定された投稿情報中の楽曲識別情報に対応する演奏情報を演奏するとともに、指定された投稿情報中の歌唱音声情報に対応する評価基準情報に基づいて、マイクロホンから入力される歌唱音声情報を評価する。
【発明の効果】
【００１６】
本発明のカラオケ装置、カラオケシステム、カラオケ用プログラムによれば、指定された投稿情報中の歌唱音声情報に対応する評価基準情報に基づいて、歌唱者の歌唱音声情報を評価することで、オリジナルの歌唱方法と異なる投稿者の歌唱方法による歌唱評価を行うことが可能となる。
【００１７】
さらに本発明のカラオケ装置、カラオケシステム、カラオケ用プログラムでは、指定された投稿情報に含まれる歌唱音声情報を再生出力することで、歌唱者は、再生出力される歌唱音声情報を模範として歌唱を行うことが可能となる。なお、歌唱音声情報の再生出力、並びに、歌唱音声情報の音量調整は、再生出力するカラオケ装置において設定可能とすることも可能である。
【００１８】
さらに本発明のカラオケ装置、カラオケシステム、カラオケ用プログラムでは、評価基準情報に対するオリジナル歌唱基準情報の相違に関するアドバイス情報を告知することで、歌唱者はオリジナルの歌唱との相違を認識して歌唱することが可能となる。
【００１９】
さらに本発明のカラオケ装置、カラオケシステム、カラオケ用プログラムでは、カラオケ装置側において、受信処理で受信した投稿情報に含まれる歌唱音声情報から評価基準情報を抽出する抽出処理を実行することとしている。このような構成により、ホスト装置側での処理負担を削減することが可能となる。なお、抽出処理は、カラオケ装置で実行することに代え、ホスト装置で実行することとしてもよい。ホスト装置で行う形態では、カラオケ装置側での処理負担を削減することが可能となる。また、１つの投稿情報について１回の抽出処理で済むため、カラオケシステム全体における処理負担を削減することが可能となる。
【００２０】
さらに本発明のカラオケ装置、カラオケシステム、カラオケ用プログラムにおける評価演奏処理は、評価基準情報の基準音程情報と、マイクロホンから入力される歌唱音声情報の音程情報を表示部に出力する形態、指定された投稿情報中の歌唱音声情報に対応する評価基準情報に基づいて、マイクロホンから入力される歌唱音声情報を採点する形態等、各種形態を採用することが可能である。
【図面の簡単な説明】
【００２１】
【図１】本発明の実施形態に係るカラオケシステムの構成を示す図
【図２】本発明の実施形態に係る投稿の概要を説明するための図
【図３】本発明の実施形態に係るトップ画面を示す図
【図４】本発明の実施形態に係るユーザ情報のデータ構成を示す図
【図５】本発明の実施形態に係るユーザ情報の送受信を説明する図
【図６】本発明の実施形態に係るアクティブユーザトップ画面を示す図
【図７】本発明の実施形態に係る楽曲確認画面を示す図
【図８】本発明の実施形態に係るカラオケ装置の楽曲再生処理を示すフロー図
【図９】本発明の実施形態に係る各種データ構成を示す図
【図１０】本発明の実施形態に係る投稿登録処理を示すフロー図
【図１１】本発明の実施形態に係る投稿情報選択画面を示す図
【図１２】本発明の実施形態に係る投稿情報確認画面を示す図
【図１３】本発明の実施形態に係る投稿再生処理を示すフロー図
【図１４】本発明の実施形態に係る投稿情報再生画面を示す図
【発明を実施するための形態】
【００２２】
本実施形態のカラオケ装置は、歌唱を楽しむカラオケにおいて、ユーザの歌唱を記録（少なくとも録音を行うこととし、録画を含んでも良い）し、通信回線を介して広く公開可能なカラオケシステムに利用可能としている。
【００２３】
図２は、本発明の実施形態に係る歌唱投稿システムで使用するカラオケシステムの構成を示したものである。本実施形態におけるカラオケシステムは、カラオケ装置２（コマンダ）と、リモコン装置１を含んで構成されている。なお、図１に示す例では、１台のカラオケ装置２に対して、２台のリモコン装置１ａ、１ｂが使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２４】
カラオケボックスなどの店舗に設置されるカラオケ装置２は、楽曲を演奏するための演奏部として音響制御部２５を備えている。また、カラオケ装置２は、ユーザからの各種入力を受け付けるスイッチなどで構成されるカラオケ装置２側の入力部としての操作部２１を備える。カラオケ装置２は、操作部２１からの入力を解釈してＣＰＵ３０に伝達する操作処理部２２を備える。また、カラオケ装置２は、各種情報を記憶するカラオケ装置側記憶部としてのＨＤＤ３２（ハードディスク）を備える。カラオケ装置２は、ＬＡＮ１００に接続してネットワークに加入するためのカラオケ装置側通信手段としてのＬＡＮ通信部２４を備えている。
【００２５】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００２６】
さらに、このカラオケ装置２では、外部に接続されるモニタ４１以外に、タッチパネルモニタ３３に対して各種情報を表示することを可能としている。タッチパネルモニタ３３は、映像制御部３１から入力された映像情報を表示する表示部３５と、タッチ入力された位置を操作処理部２２に出力するタッチパネル３４を重畳して構成されている。このタッチパネルモニタ３３は、カラオケ装置２の操作部２１、あるいは、リモコン装置１のタッチパネルモニタ１１などと同様、入力部として機能する。ユーザは、タッチパネルモニタ３３から楽曲を選択して、直接カラオケ装置２に予約を行うなど、カラオケ装置２に対する各種操作を行うことが可能である。
【００２７】
さらに、カラオケ装置２は、各構成を統括して制御するためのＣＰＵ３０、各種プログラムを実行するにあたって必要となる情報を一時記憶するためのメモリ２７を備えて構成される。
【００２８】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００２９】
楽曲演奏処理は、楽曲情報に含まれる演奏情報に基づき、音響制御部２５に演奏を実行させる処理である。音響制御部２５にて演奏された楽曲は、歌唱用マイク４４ａ、４４ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００３０】
一方、リモコン装置１は、予約情報などカラオケ装置２に対して各種指示を送信するとともに、カラオケ装置２あるいはインターネット上に接続されたホスト装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３１】
さらにリモコン装置１は、楽曲検索に必要とされるデータベース、各種プログラム、並びに、プログラム実行に伴って発生する各種情報を記憶するリモコン側記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００３２】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３３】
このようなリモコン装置１の構成により、ユーザからの各種入力をタッチパネルモニタ１１、あるいは、操作部１７から受付けるとともに、映像情報をタッチパネルモニタ１１に表示することで各種情報を提供することで、カラオケ装置２に対して楽曲予約などの各種指示を行うことが可能とされている。
【００３４】
カラオケ装置２には、歌唱の様子を撮影するための撮像手段としてカメラ４５が接続されている。カメラ４５からのカメラ映像は、映像入出力を担う映像制御部３１を介して、記録部としてのＨＤＤ３２に記録するとともに、モニタ４１にリアルタイム表示することが可能である。さらに、モニタ４１に対して、カメラ４５から入力される映像と同時に、投稿情報に含まれる動画情報を表示させることができる。
【００３５】
図２は、図１に示すカラオケシステムについて、投稿の概要が示されている。この図２を用いてカラオケ投稿の流れを簡単に説明する。まず、歌唱者は、カラオケボックスなど、カラオケシステムが設置される場所で演奏にあわせた歌唱が行われ歌唱用マイク４４から入力された音声情報が記録される（ａ）。歌唱の際、歌唱の様子をカメラ４５で撮像して得た動画情報を記録してもよい。記録された音声情報（動画情報を含めてもよい）は、ユーザの指示に基づいて、投稿情報としてホスト装置５に投稿（アップロード）される。
【００３６】
ホスト装置５にアップロードされた投稿情報は、インターネットを介して公開されることになる。その際、公開される投稿情報は、不特定のユーザを対象として広く一般に公開されるため、音声、映像に関する公序良俗上の問題、あるいは、動画情報中で使用禁止の商品が映像に含まれているなどの問題をクリアしたものである必要がある。そのため、ホスト装置５にアップロードされた投稿情報中の各種情報は、管理者による審査、あるいは、管理プログラムによる審査を経た後、インターネット上で公開される。公開された投稿情報は、カラオケ装置２、あるいは、インターネットに通信接続されたパーソナルコンピュータあるいは携帯端末等に配信可能な状態となる。
【００３７】
本実施形態のカラオケシステムは、ユーザ登録制度を採用しており、カラオケ装置２、
パーソナルコンピュータ、携帯端末などを使用してログインしたユーザは、ユーザに対応したサービスを受けることが可能となっている。本実施形態のカラオケシステムでは、通常状態では、カラオケ装置２において投稿情報の視聴を行うことはできず、ユーザがパーソナルコンピュータあるいは携帯情報端末等を使用して、お気に入り登録した投稿情報のみ、カラオケ装置２において視聴可能となっている。
【００３８】
では、カラオケシステムにおける投稿情報の形成、並びに、投稿された投稿情報の再生について説明を行う。図３は、本発明の実施形態に係るトップ画面、すなわち、リモコン装置１を起動した直後の画面を示す図である。本実施形態では、リモコン装置１の表示部１１に表示を行うことで、リモコン装置１を操作するユーザに対して各種情報が提供される。
【００３９】
本実施形態のカラオケシステムは、各リモコン装置１のタッチパネルモニタ１１から認証情報（後述するユーザ識別情報やパスワード）を入力することで、ログインすることが可能となっている。特に、本実施形態のカラオケシステムでは、複数のユーザをログインさせることを可能としており、ログインしたユーザ（ログインユーザ）に関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００４０】
また、アカウントを有していないユーザのためのゲストアイコン１０２、ユーザを切り替えるためのユーザ切り替えスイッチ１０１が表示されている。ログインしたユーザは、ログインユーザ欄１０３に表示される分身像を選択、あるいは、ユーザ切り替えスイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切り替えの際には、パスワードなどを使用した認証を行うこととしてもよいが、認証を行うことなく簡易に切り替えることとしてもよい。
【００４１】
図４は、ユーザ毎にホスト装置５に記憶されているユーザ情報を説明するための図である。本実施形態では、ユーザ情報として、個人情報、マイうたテーブル、マイアーティストテーブル、投稿情報登録テーブルといった、ユーザに関する各種情報を含んで構成される。このユーザ情報は、ホスト装置５の記憶部５１に記憶されている。ユーザ情報には、ユーザがログインするための認証情報（ユーザ識別情報とパスワード）が含まれている。個人情報には、ユーザ名（実際の名前に限ったものでなく、ニックネームであってもよい）、性別、年齢、うた年齢などを含んで構成される。これら各種情報は、リモコン装置１、あるいは、インターネットなどのネットワークに接続された図示しないパーソナルコンピュータ、携帯端末などを使用し、ログインして設定することも可能である。
【００４２】
マイうたテーブルは、ユーザによって登録された楽曲を記憶するテーブルであって、楽曲識別情報、音程調整値、過去の採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うことも可能である。
【００４３】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、あるいは、関連楽曲）を呼び出して予約、演奏することが可能となる。
【００４４】
投稿情報登録テーブルは、図２で説明したカラオケシステムにおける投稿について、ユーザが指定したお気に入りの投稿情報を記録したテーブルである。本実施形態において、投稿情報登録テーブルに対する投稿識別情報（投稿ＩＤ）の登録は、パーソナルコンピュータ、携帯端末など、カラオケ装置２以外の装置にて行うことが可能となっている。カラオケ装置２では、この投稿情報登録テーブルに登録されている投稿識別情報に対応する投稿情報を再生することが可能であり、登録の無い投稿情報については再生することができない仕様となっている。
【００４５】
図５は、このユーザ情報の送受信の様子を示した図である。カラオケ店舗に来店したユーザは、自己のユーザ識別情報とパスワードで構成された認証情報を入力、あるいは、リモコン装置１などに設けられたＩＣカードリーダでＩＣカードに記憶されている認証情報を読み取らせることで認証処理Ｓ１０１を実行する。カラオケ装置２あるいはリモコン装置１は、認証情報をホスト装置５に送信し（Ｓ１０２）、認証情報を受信したホスト装置５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００４６】
ユーザ情報を受信したカラオケ装置２側では（Ｓ１０３）、受信したユーザ情報に基づいて、楽曲指定処理、楽曲再生処理など各種サービス処理を提供する（Ｓ１０４）。ユーザによりログアウトが要求される（Ｓ１０５）とサービス処理を中断し、サービス処理中に発生した各種履歴（ログ）、あるいは、ユーザによる設定変更を反映したユーザ情報をホスト装置５に送信する（Ｓ１０６）。ここで、ユーザ情報は、全ての情報を送信することの他、更新された差分だけを送信してもよい。ユーザ情報を受信したホスト装置５では（Ｓ１２３）、受信したユーザ情報に基づいて記憶部５１に記憶されたデータベースの更新を実行する（Ｓ１２４）。
【００４７】
以上、あるユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっている。図３で説明したユーザインターフェイスを用いることで、サービスを提供するユーザ（以下、「アクティブユーザ」という）を切り替えて使用することが可能となっている。
【００４８】
図６は、本発明の実施形態に係るアクティブユーザトップ画面を示す図である。この図に示されるように、複数人がログインした状態ではログインユーザ欄１０３にログインしたユーザの分身像１０３ａ、１０３ｂ、１０３ｅ（本実施形態では顔部分）が表示される。またログインユーザ欄１０３中、右端に背景がハイライト（白色）で示されるユーザは、アクティブユーザ１０３ｅ（Ａさん）であって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、歌手名、楽曲名に基づく検索を行うことができる。
【００４９】
図６には、本発明の実施形態に係る楽曲確認画面が示されている。アクティブユーザとして楽曲を選択した場合、この楽曲確認画面にて、予約を行う楽曲に間違いがないか、楽曲名、歌手名、歌い出しなどを表示してユーザに確認を促す。このとき、選択した楽曲に対して自分の歌唱できる音程（キー）が予め分かっている場合には、「音程設定」を変更することで演奏する際の音程調整値を設定することが可能となっている。音程設定右下の「変更」ボタンを操作することで、音程設定用の子画面が表示され音程調整値を設定することが可能である。
【００５０】
さらに、本実施形態のカラオケシステムは、歌唱投稿を行うか否かを選択するためのオプション機能が備えられている。この楽曲確認画面では、歌唱投稿に関する設定、具体的には、楽曲確認画面に表示されている楽曲について投稿を行うか否かなど、投稿に関する各種設定を行うことが可能となっている。ユーザは「オプション」を設定することで、歌唱投稿のための各種設定を行うことが可能となっている。オプション右下の「変更」ボタンを操作することで、設定用の子画面（図示せず）が表示され歌唱投稿に関する各種設定を行うことが可能である。
【００５１】
この楽曲確認画面にて「予約」ボタンの操作による選曲指示が入力されると、リモコン装置１からカラオケ装置２に対してアクティブユーザのユーザ識別情報、楽曲識別情報、音程調整値、歌唱投稿に関する設定などを含む予約情報が送信される。受信したカラオケ装置２では、予約情報を予約テーブルに追加して、予約テーブルに登録された楽曲を順次再生させるメイン処理を実行する。
【００５２】
図８には、本発明の実施形態に係るカラオケ装置２で実行される楽曲再生処理のフロー図が示されている。本実施形態の楽曲再生処理では、投稿情報を使用した楽曲再生を可能としている。投稿情報の指定、並びに、その再生については後で説明を行う。カラオケ装置２においてメイン処理が開始されると、メモリ２７等の記憶部に記憶されている予約テーブルをチェック（Ｓ２０１）して次に再生すべき楽曲の有無について判定が行われる。次に再生する楽曲がある場合（Ｓ２０２：Ｙｅｓ）、再生対象となる楽曲が投稿情報を指定したものであるか否かが判定される（Ｓ２０３）。投稿情報を指定したものである場合（Ｓ２０３：Ｙｅｓ）には、投稿再生処理（Ｓ４００）が実行される。
【００５３】
一方、投稿情報を指定したものでない場合（Ｓ２０３：Ｎｏ）、指定された楽曲に関する予約情報の内、歌唱投稿に関する設定を参照し、歌唱投稿指定があるか否かが判定される。歌唱投稿指定が無い場合（Ｓ２０４：Ｎｏ）には、指定された楽曲を音響制御部２５に演奏させる通常楽曲再生処理（Ｓ２１２）が実行される。一方、予約情報中に歌唱投稿指定がある場合（Ｓ２０４：Ｙｅｓ）には、歌唱用マイク４４から入力される歌唱音声情報を録音するとともに、カメラ４５による歌唱の様子を撮像する録画演奏処理（Ｓ２０５）を含む一連の処理が開始される。
【００５４】
この録画演奏処理（Ｓ２０５）では、指定されている楽曲識別情報に対応する楽曲情報を再生させるとともに、歌唱用マイク４４から入力される歌唱音声とカメラ４５にて撮像される映像を動画情報として記録する。図９（Ａ）には、再生対象となる楽曲情報のデータ構成が示されている。本実施形態の楽曲情報は、楽曲識別情報（楽曲ＩＤ）、演奏情報、歌詞情報を含んで構成されている。また、楽曲情報には、採点など歌唱の評価を可能とするため、オリジナル歌唱基準情報が含まれている。本実施形態では、後で説明する投稿情報中の評価基準情報との違いが明確となるように歌唱基準情報に、「オリジナル」という接頭語を付している。このオリジナル歌唱基準情報は、従来の歌唱採点で使用されている主旋律（メロディ）の音程を示す情報であり、楽曲の制作者側によるプロの歌手の歌唱に基づいて形成、あるいは、抽出されたものである。
【００５５】
楽曲の再生中には、カメラ４５にて撮像される映像をモニタ４１に表示させる動画再生処理が実行される。モニタ４１には、現在、カメラ４５で撮像されている歌唱中のユーザ（ユーザＡ）の様子がリアルタイムで表示される。その際、カメラ４５からの映像は左右反転した鏡像表示となっており、モニタ４１を観察するユーザにとって違和感を抑えた映像となっている。さらに、モニタ４１には、歌詞が重畳表示され、ユーザの歌唱補助を可能としている。
【００５６】
楽曲の再生が終了（Ｓ２０６：Ｙｅｓ）すると、それに伴い、録音、録画を行う録画演
奏処理が終了する（Ｓ２０７）。録画演奏処理でＨＤＤ３２等の記憶部に記録された録画情報は、投稿の対象とする前に、ユーザにより確認することが可能である。タッチパネルモニタ３３、あるいは、リモコン装置１等の入力部を使用して、プレビューが指定された場合（Ｓ２０８：Ｙｅｓ）には、記録された動画情報を再生するプレビュー処理が実行される（Ｓ２０９）。このプレビュー処理では、録画演奏処理において記録した音声情報、動画情報を再生させるとともに、記録時に再生した楽曲情報を同期して再生することで、歌唱時の状態を再現することを可能としている。
【００５７】
ユーザは、アップロード（投稿）するか否か、各種ユーザインターフェイスを介して指定することが可能である。ユーザによりアップロードすることが選択された場合（Ｓ２１０：Ｙｅｓ）、カラオケ装置２は、録画演奏処理で記録した音声情報を含む投稿情報（動画情報を含むこととしてもよい）を、通信部としてのＬＡＮ通信部２４を介しホスト装置５に送信するアップロード処理（Ｓ２１１）を実行する。
【００５８】
図９（Ｂ）には、本発明の実施形態に係る投稿情報（投稿時）のデータ構成が示されている。本実施形態の投稿情報は、投稿したユーザのユーザ識別情報である投稿ユーザＩＤ、録画演奏処理で使用した楽曲の楽曲識別情報（楽曲ＩＤ）、録画演奏処理で録音した音声情報、録画演奏処理で録画した動画情報を含んで構成されている。この他、投稿日時など投稿に関する各種情報を含めてもよい。
【００５９】
カラオケ装置２から投稿情報を受信したホスト装置５は、投稿情報を公開するための投稿登録処理を実行する。図１０には、ホスト装置５で実行する投稿登録処理のフロー図が示されている。ホスト装置５は、カラオケ装置２から投稿情報を受信した場合（Ｓ４０１：Ｙｅｓ）、記憶部５１内のデータベースに登録する。その際、投稿情報には投稿識別情報（投稿ＩＤ）が付与される。データベースに登録された投稿情報は、音声、映像に関する公序良俗上の問題、あるいは、動画情報中で使用禁止の商品が映像に含まれているなどの問題を有していないかを確認する審査が実行される（Ｓ４０３）。この審査は管理者による確認、あるいは、管理プログラムによる確認により実行される。
【００６０】
審査をクリア（Ｓ４０４：Ｙｅｓ）した投稿情報は、インターネット上での公開対象となる。本実施形態では、投稿情報中の音声情報を使用した歌唱評価、すなわち、投稿者と同じ歌い方を真似る、あるいは、練習する際の評価を行うこととしている。そのため、ホスト装置５は、投稿情報中の音声情報から、少なくともその音程を示す評価基準情報を生成している（Ｓ４０５）。後で説明する投稿再生処理では、歌唱用マイク４４から入力される歌唱音声情報を、この評価基準情報と対比することで、歌唱の評価を行うことが可能となる。
【００６１】
さらに本実施形態では、投稿情報の再生時、歌唱者に対して投稿情報における歌い方を告知するためのアドバイス情報が生成される（Ｓ４０６）。このアドバイス情報は、Ｓ４０５で生成した評価基準情報と、楽曲情報中のオリジナル歌唱基準情報の相違に基づいて形成される。アドバイス情報には、オリジナル歌唱基準情報に対する評価基準情報の音程の相違（高いあるいは低い）、あるいは、オリジナル歌唱基準情報に対する評価基準情報の歌唱タイミングの相違（早いあるいは遅い）などの情報を含んで構成されている。投稿情報再生処理では、このアドバイス情報を使用することで、投稿情報独自の歌い方を歌唱者に告知することが可能となる。なお、アドバイス情報は、歌唱する前に事前に告知することが好ましい。
【００６２】
評価基準情報の生成（Ｓ４０５）、並びに、アドバイス情報の生成（Ｓ４０６）を終えた投稿情報は、投稿者名、楽曲名、歌手名などを示す公開情報をデータベースに登録する（Ｓ４０７）ことで、インターネット上で公開される。ユーザは、公開情報を参照するこ
とで、再生したい投稿情報を選択し、カラオケ装置２、パーソナルコンピュータ、携帯端末などで再生を行うことが可能となる。図９（Ｃ）には、公開対象となる投稿情報（配信時）のデータ構成が示されている。本実施形態の投稿情報（配信時）は、図９（Ｂ）に示す投稿時の投稿情報と比較して、投稿識別情報（投稿ＩＤ）、評価基準情報、アドバイス情報がホスト装置５にて新たに付加されている。
【００６３】
一方、投稿情報が審査をクリアしなかった場合（Ｓ４０４：Ｎｏ）、投稿情報に関する公開情報はデータベースに登録されず、非公開とされる（Ｓ４０８）。その際、投稿者に対して、投稿情報が公開対象とならなかった旨を通知することとしてもよい（Ｓ４０９）。この通知は、ユーザが次回ログインした際に通知することや、電子メールなどの各種通知媒体を使用して通知することが考えられる。
【００６４】
公開された投稿情報はインターネット上で公開され、カラオケ装置２、パーソナルコンピュータ、携帯端末などで再生することが可能となる。図１１には、本発明の実施形態に係る投稿情報選択画面が示されている。ユーザは、図６で説明したリモコン装置１のアクティブユーザトップ画面に表示されている「投稿動画」を選択することで投稿情報選択画面を開くことが可能である。
【００６５】
投稿情報選択画面には、投稿情報毎の公開情報１０５ａ〜１０５ｄが表示されている。公開情報１０５ａ〜１０５ｄは、投稿時に使用した楽曲の歌手名、楽曲名、投稿者名、そして、投稿情報に含まれる動画情報の１静止画（サムネイル画像）が表示されている。ユーザが、再生したい投稿情報を選択した場合、当該投稿情報に関する投稿情報確認画面が表示される。図１２には、本発明の実施形態に係る投稿情報確認画面が示されている。
【００６６】
この投稿情報確認画面では、図７で説明した楽曲確認画面と同様、歌唱の歌い出しなどの詳細情報が表示されるとともに、投稿情報の再生時の各種設定を行うことが可能である。オプション欄には、歌唱の評価選択欄と、投稿音声の出力選択欄が表示されている。ユーザは、これら欄中に表示されているラジオボタンを選択することで再生時の各種設定を行うことが可能である。歌唱の評価選択欄では、歌唱の評価を行うか否か（「評価する」あるいは「評価しない」を選択することが可能である。過小の評価を行う場合、評価対象を「投稿音声」、「オリジナル」の何れかを選択することが可能である。「投稿音声」を選択した場合には、再生する投稿情報に含まれる評価基準情報と対比した評価が実行される。一方、「オリジナル」を選択した場合には、楽曲情報に含まれるオリジナル歌唱基準情報と対比した評価が実行されることになる。
【００６７】
投稿情報確認画面中、右下に表示される「予約」ボタンを操作することで、投稿情報を示す投稿識別情報が予約テーブルに登録される。投稿情報の再生（投稿再生処理Ｓ４００）は、図８の楽曲再生処理で説明したように、投稿情報の指定ありと判定された場合（Ｓ２０３：Ｙｅｓ）に実行される。図１３には、本発明の実施形態に係る投稿再生処理を示すフロー図が示されている。
【００６８】
投稿再生処理では、指定された投稿情報をホスト装置５から取得して演奏を開始する（Ｓ３０１）。図９（Ｃ）に示すように投稿情報には、楽曲識別情報（楽曲ＩＤ）、音声情報、動画情報が含まれている。投稿再生処理では、このうち、少なくとも楽曲識別情報に対応する楽曲情報が再生される。また、図１２に示される投稿情報確認画面のオプション欄において投稿音声の出力が選択されている場合には、楽曲情報の再生に同期して投稿情報中の音声情報が再生される。投稿再生処理では、楽曲情報の再生に同期して動画情報を再生させる、投稿者の歌唱の様子を表示することが好ましい。動画情報の再生は、音声情報の再生と同様、オプションにて選択可能としてもよい。
【００６９】
投稿再生処理では、投稿情報確認画面にて投稿情報を指定した際の評価選択に基づいて処理が行われる。評価希望選択が指定されている場合（Ｓ３０２：Ｙｅｓ）には、投稿音声またはオリジナル音声、指定された何れかの基準に基づいて評価が行われる。投稿音声が選択されている場合（Ｓ３０３：投稿音声）には、楽曲情報の再生中、再生対象となっている投稿情報中の評価基準情報に基づく評価が実行される（Ｓ３０４）。また、オリジナル音声との違いを歌唱者に告げるアドバイス情報の表示も合わせて実行される（Ｓ３０５）。
【００７０】
図１４には、評価基準情報に基づく評価を実行すると共に、アドバイス情報を表示中の投稿情報再生画面が示されている。本実施形態では、モニタ４１の表示画面に投稿情報の動画情報を表示するとともに、評価表示領域５００と歌詞表示領域５０５を動画情報に重畳して表示している。評価表示領域５００は、歌唱用マイク４４から入力される歌唱音声情報の音程と、投稿情報中の評価基準情報を対比して表示する領域である。本実施形態では、ピアノロールと呼ばれる表示形態を使用したものであり、音程基準線５０１上で、高低にて音程を示す音程情報５０３を左から右に移動させることで歌唱すべき音程を示している。音程情報５０３が評価表示領域５００の中央に示され歌唱タイミング線を通過するときが、当該音程情報５０３の歌唱タイミングとなるように表示される。ユーザの歌唱に伴い、歌唱タイミング線５０２の左方には、歌唱音声情報の音程を示す歌唱音程情報５０３ａ〜５０３が表示される。歌唱音程情報は、音程情報との音程差に応じて異なった表示形態で表示される。このように本実施形態において、ユーザは、楽曲の再生に同期して表示される音程情報と歌唱音程情報が同時に表示される評価を視認することで、投稿情報の歌唱との差異を確認することが可能となる。
【００７１】
この評価表示領域５００中には、アドバイス情報５０４ａ、５０４ｂ、すなわち、投稿情報中の評価基準情報に対する、楽曲情報のオリジナル歌唱基準情報の相違に関する情報が表示されている。評価表示領域５００中に表示されるアドバイス情報５０４ａ、５０４ｂは、音程差（相違）を示した情報であって、上向きの矢印であるアドバイス情報５０４ａは、歌唱すべき音程（評価基準情報）がオリジナル歌唱基準情報の音程に対して高いことを示している。また、下向きの矢印であるアドバイス情報５０４ｂは、歌唱すべき音程（評価基準情報）がオリジナル歌唱基準情報の音程に対して低いことを示している。アドバイス情報５０４ａ、５０４ｂは、評価基準情報とオリジナル歌唱基準情報の音程差に応じて、その矢印の長さを可変するようにしてもよい。また、アドバイス情報５０４ａ、５０４ｂは、歌唱する前に表示することが好ましいため、音程情報５０３が右方から表示開始され、歌唱タイミング線５０２を通過する期間において表示される。
【００７２】
投稿情報再生画面中には、歌唱すべき歌詞を歌唱者に伝えるための歌詞表示領域５０５も合わせて表示される。本実施形態では、この歌詞表示領域５０５中にもアドバイス情報５０４ｃ、５０４ｄを表示している。アドバイス情報５０４ｃ、５０４ｄは、歌唱すべき歌唱タイミング（評価基準情報）がオリジナル歌唱基準情報の歌唱タイミングに対して、早い、あるいは、遅いことを告知する情報であって、アドバイス情報５０４ｃは、その歌詞位置の歌唱タイミングがオリジナルの楽曲に対して早いことを示している。また、アドバイス情報５０４ｄは、その歌詞位置の歌唱タイミングがオリジナルの楽曲に対して遅いことを示している。
【００７３】
このように本実施形態では、投稿再生処理の演奏期間中において、投稿情報中の歌唱音声情報に対応する評価基準情報に基づいて、歌唱用マイク４４から入力される歌唱音声情報を評価することで、投稿情報での歌い方を真似る、もしくは、練習することが可能となる。さらに、アドバイス情報を表示することで、オリジナルの歌い方に対してどのように歌唱すべきかを知ることが可能となる。このアドバイス情報は、歌唱すべきタイミングの前に告知することが好ましい。
【００７４】
演奏の終了後（Ｓ３０７：Ｙｅｓ）、評価希望選択が指定されている場合（Ｓ３０８：Ｙｅｓ）、Ｓ３０４での評価に基づいて総合評価の表示が実行される。この総合評価としては、評価基準情報に基づく歌唱者の歌唱音声情報に対する採点などが考えられる。総合評価を表示することで、歌唱者は、自分が行った歌唱が投稿情報中の歌唱音声と比較して、どのような結果であったかを知ることが可能となる。
【００７５】
一方、投稿情報確認画面のオプション欄において、「オリジナル」が選択されている場合（Ｓ３０３：オリジナル音声）には、楽曲情報中のオリジナル歌唱基準情報に基づいて歌唱用マイク４４から入力される歌唱音声情報の評価が実行される（Ｓ３０６）。この場合、歌唱用マイク４４から入力される歌唱音声情報と楽曲情報中のオリジナル歌唱基準情報を対比して評価が行われる。評価の結果は、投稿音声情報に対する評価と同様、図１４で説明した評価表示領域５００中に表示されることとなるが、アドバイス情報５０４ａ、５０４ｂの表示は行われない。歌詞表示領域５０５中のアドバイス情報５０４ｃ、５０４ｄについても表示は行われない。
【００７６】
また、投稿情報確認画面にて評価希望選択が指定されていない場合（Ｓ３０２：Ｎｏ）には、評価表示領域５００を表示すること無く、指定された投稿情報に基づいて楽曲の
演奏が実行される。
【００７７】
本実施形態では、投稿情報中、評価演奏処理に使用する評価基準情報、及び、アドバイス情報をホスト装置５で生成することとしている。ホスト装置５で生成することによって、各投稿情報について、評価基準情報、及び、アドバイス情報の生成を集約して行うことが可能となり、カラオケ装置２側での処理負担を軽減することが可能となる。これら評価基準情報、アドバイス情報の何れか一方は、投稿情報を再生するカラオケ装置２にて生成することとしてもよい。この場合、再生を行う投稿情報に対してのみ評価基準情報、アドバイス情報を生成すればよく、ホスト装置５側の処理負担を軽減するとともに、システム全体の処理負担を軽減できることも考えられる。
【００７８】
なお、本発明はこれらの実施形態のみに限られるものではなく、それぞれの実施形態の構成を適宜組み合わせて構成した実施形態も本発明の範疇となるものである。
【符号の説明】
【００７９】
１ａ、１ｂ…リモコン装置          ２５…音響制御部
１１…タッチパネルモニタ          ２７…メモリ
１１ａ…表示部                    ２８…ビデオＲＡＭ
１１ｂ…タッチパネル              ２９…映像再生部
１２…ビデオＲＡＭ                ３０…ＣＰＵ
１３…映像制御部                  ３１…映像制御部
１４…メモリ                      ３２…ＨＤＤ（ハードディスク）
１５…ＣＰＵ                      ４１…モニタ
１６…無線ＬＡＮ通信部            ４２…スピーカ
１７…操作部                      ４４ａ、４４ｂ…歌唱用マイク（マイクロホン）
１８…操作処理部                  ４５…カメラ
１９…赤外線通信部                １００…ＬＡＮ
２…カラオケ装置（コマンダ）      １１０…アクセスポイント
２１…操作部                      １２０…ルータ
２２…操作処理部                  ５…ホスト装置
２３…赤外線通信部                ５１…記憶部
２４…ＬＡＮ通信部
【図１】
2015125270.tif 000003
【図２】
2015125270.tif 000004
【図３】
2015125270.tif 000005
【図４】
2015125270.tif 000006
【図５】
2015125270.tif 000007
【図６】
2015125270.tif 000008
【図７】
2015125270.tif 000009
【図８】
2015125270.tif 000010
【図９】
2015125270.tif 000011
【図１０】
2015125270.tif 000012
【図１１】
2015125270.tif 000013
【図１２】
2015125270.tif 000014
【図１３】
2015125270.tif 000015
【図１４】
2015125270.tif 000016